(57)【要約】      （修正有） 【課題】揺動駆動機構を備えることなく、重労働を要求されずに大量のふるい材料を処理できるふるい装置を提供する。【解決手段】枠体の底面１１にふるい網１２が張設され内部にふるい材料が収容されるふるい籠１を備えている。内部にふるい材料が収容されたふるい籠１を支持する支持台２を備えている。支持台２は、手で加えられた力でふるい籠の支持姿勢を可変する弾性材２２を有している。【選択図】図１
0003114159.tif 000002
【実用新案登録請求の範囲】
【請求項１】
枠体の底面にふるい網が張設され内部にふるい材料が収容されるふるい籠を備えたふるい装置において、内部にふるい材料が収容されたふるい籠を支持する支持台を備え、支持台は手で加えられた力でふるい籠の支持姿勢を可変する弾性材を有していることを特徴とするふるい装置。
【請求項２】
請求項１のふるい装置において、支持台はふるい籠の枠体の外側に嵌合される支持枠を弾性材が複数本の柱として下支えしていることを特徴とするふるい装置。
【請求項３】
請求項２のふるい装置において、支持台の弾性材は下端部に共通した底部材が取付けられていることを特徴とするふるい装置。
【請求項４】
請求項２または３のふるい装置において、支持台の弾性材はコイルスプリングであることを特徴とするふるい装置。
【請求項５】
請求項４のふるい装置において、支持台の弾性材はコイルスプリングの旋回端末のほぼ１周が当接固定された取付板を介して支持枠，底部材に取付けられていることを特徴とするふるい装置。
【請求項６】
請求項１〜５のいずれかのふるい装置において、支持台は手を掛けることのできる取手が取付けられていることを特徴とするふるい装置。
【請求項７】
請求項６のふるい装置において、支持台の取手は支持台の支持枠に複数段に積層されるふるい籠を超える高さに立上げられていることを特徴とするふるい装置。
【考案の詳細な説明】
【技術分野】
【０００１】
本考案は、土砂等のふるい分け使用されるふるい装置に係る技術分野に属する。
【背景技術】
【０００２】
一般に、ふるい装置は、環状の枠体の底面にふるい網が張設され内部にふるい材料が収容されるふるい籠と、ふるい籠を揺動する揺動駆動機構とを備えている。また、個人，家庭向けのふるい装置では、揺動駆動機構を省略してふるい籠に把手を取付け、人が把手を掴んでふるい籠を持上げ揺動させるように構成される。個人，家庭向けのふるい装置では、最近の園芸ブームから大量の土砂からなるふるい材料の処理が要求されることがある場合に、かなりの重労働が要求されてしまうという状況がある。このため、重労働にならずに大量のふるい材料を処理することができる個人，家庭向けのふるい装置の開発が要望されている。
【０００３】
従来、重労働にならずに大量のふるい材料を処理することを指向したふるい装置としては、例えば、実開平３−３２９８０号公報に記載のものが知られている。
【０００４】
この従来のふるい装置は、ふる籠の枠体に複数段にふるい網を張設し、ふるい網の網目を上段から下段むけて小さくなるようにして、１つの揺動という労働でふるい材料を３つ以上にふるい分けできるようにしている。
【考案の開示】
【考案が解決しようとする課題】
【０００５】
前述の従来のふるい装置では、ふるい材料が収容されたふるい籠を手で持上げて揺動させることに変化がなく、依然として大量のふるい材料を処理するに重労働が要求されるという問題点がある。
【０００６】
本考案は、このような問題点を考慮してなされたもので、揺動駆動機構を備えることなく、重労働を要求されずに大量のふるい材料を処理することのできるふるい装置を提供することを課題とする。
【課題を解決するための手段】
【０００７】
前述の課題を解決するため、本考案に係るふるい装置は、実用新案登録請求の範囲の各請求項に記載の手段を採用する。
【０００８】
即ち、請求項１では、枠体の底面にふるい網が張設され内部にふるい材料が収容されるふるい籠を備えたふるい装置において、内部にふるい材料が収容されたふるい籠を支持する支持台を備え、支持台は手で加えられた力でふるい籠の支持姿勢を可変する弾性材を有していることを特徴とする。
【０００９】
この手段では、内部にふるい材料が収容されたふるい籠を手で持上げなくても支持台で支えられ、支持台に手で小さな力を加えることで弾性材の伸縮の慣性でふるい籠の支持姿勢が頻繁に可変され揺動される。
【００１０】
また、請求項２では、請求項１のふるい装置において、支持台はふるい籠の枠体の外側に嵌合される支持枠を弾性材が複数本の柱として下支えしていることを特徴とする。
【００１１】
この手段では、ふるい籠が支持台の弾性材に柱として下支えされた支持台の支持枠に嵌合されて所定の高さに支持される。
【００１２】
また、請求項３では、請求項２のふるい装置において、支持台の弾性材は下端部に共通した底部材が取付けられていることを特徴とする。
【００１３】
この手段では、支持台の複数本の弾性材が支持台の支持枠，底部材によって上下で連結一体化される。
【００１４】
また、請求項４では、請求項２または３のふるい装置において、支持台の弾性材はコイルスプリングであることを特徴とする。
【００１５】
この手段では、直線的な軸方向に弾性を発揮する柱として好適な弾性材としてコイルスプリングが選択される。
【００１６】
また、請求項５では、請求項４のふるい装置において、支持台の弾性材はコイルスプリングの旋回端末のほぼ１周が当接固定された取付板を介して支持枠，底部材に取付けられていることを特徴とする。
【００１７】
この手段では、支持台の弾性材であるコイルスプリングの旋回端末が取付板に当接固定されてから支持枠，底部材に取付けられる。
【００１８】
また、請求項６では、請求項１〜５のいずれかのふるい装置において、支持台は手を掛けることのできる取手が取付けられていることを特徴とする。
【００１９】
この手段では、支持台の取手に手を掛けて小さな力を加えることで揺動を起生することができる。
【００２０】
また、請求項７では、請求項６のふるい装置において、支持台の取手は支持台の支持枠に複数段に積層されるふるい籠を超える高さに立上げられていることを特徴とする。
【００２１】
この手段では、ふるい籠が積層されても、ふるい籠が邪魔になることなく支持台の取手に手を掛けて揺動を起生することができる。
【考案の効果】
【００２２】
本考案に係るふるい装置は、内部にふるい材料が収容されたふるい籠を手で持上げなくても支持台で支えられ、支持台に手で小さな力を加えることで弾性材の伸縮の慣性でふるい籠の支持姿勢が頻繁に可変され揺動されるため、揺動駆動機構を備えることなく、重労働を要求されずに大量のふるい材料を処理することができる効果がある。
【考案を実施するための最良の形態】
【００２３】
以下、本考案に係るふるい装置を実施するための最良の形態を図面に基づいて説明する。
【００２４】
この形態では、個人，家庭向けの園芸用に好適なものを示してある。
【００２５】
この形態は、ふるい籠１，支持台２からなる。
【００２６】
ふるい籠１は、枠体１１，ふるい網１２，網受１３からなる。枠体１１は、耐腐食性のあるステンレス等の金属板で軸長の短い円筒形の環状に形成されている。ふるい網１２は、ステンレス等の金属板でリング形に形成されたフレーム１２ａの内側にステンレス等の金属線線材１２ｂが格子状に張設され、枠体１１の底面にフレーム１２ａが着脱可能に嵌合されるようにして取付けされている。網受１３は、ステンレス等の金属棒が十字形に組付けられ、ふるい網１２の下側にふるい網１２を下支えするように枠体１１に貫通して取付けされている。
【００２７】
このふるい籠１は、ふるい網１２の網目の大きさを異ならせたものが３個用意され、同軸上に互いに積層が可能に形成されている。
【００２８】
支持台２は、支持枠２１，弾性材２２，取付板２３，底部材２４，取手２５からなる。支持枠２１は、金属板でふるい籠１の枠体１１の軸長よりも軸長の短いリング形に形成され、ふるい籠１の枠体１１の外側に嵌合されるようになっている。弾性材１２は、円筒形のコイルスプリングからなるもので、支持枠２１の軸中心に対して１２０度の間隔を介して３本が柱として支持枠２１を下支えしている。取付板２３は、円板形に形成され、コイルスプリングからなる弾性材１２の旋回端末のほぼ１周が当接固定される大きさに形成された板本体２３ａに弾性材１２の旋回端末が係合固定される爪片２３ｂが切起こし形成されている。この取付板２３は、支持枠２１の軸中心に対して１２０度の間隔を介して３枚の板本体２３ａが支持枠２１に溶接等で固定され、弾性材２２を間接的に支持枠２１に取付けるとともに、支持枠２１に嵌合されたふるい籠１の落下を防止する。底部材２４は、金属棒でリング形に形成され、前述と同様の取付板２３を介して３本の弾性材２２に取付けられている。この取付板２３は、板本体２３ａが底部材２４に溶接等で固定され、弾性材２２を間接的に底部材２４に取付けるとともに、地面に設置された場合に弾性材２２の地面へのめり込みを防止する。取手２５は、手を掛けることができる形状に形成され、支持枠２１の外側面に取付けられて上端部が支持枠２１から積層された３個のふるい籠１よりも高くなるように立上げられている。
【００２９】
この支持台２は、土砂からなるふるい材料Ｓを収容したふるい籠１を静態で沈降することなく水平に支持できるように弾性材２２の弾力性が設定されている。この弾力性の設定については、弾性材２２がコイルスプリングであることによって容易に実行できる。
【００３０】
この形態を使用するには、支持台２を地面等に設置しておき、最上段のふるい籠１にふるい材料Ｓを収容しその下方に空のふるい籠１を２段積層して支持台２の支持枠２１に嵌合支持する。このふるい籠１の支持では、支持台２の３本の弾性材２２が取付板１３を介して支持枠２１，底部材２４に連結一体化され、支持姿勢が不安定になることはない。
【００３１】
而後、支持台２の取手２５に手掛けて斜め左右方向へ力を加え、支持台２の支持枠２１を揺する。この支持台２の取手２５の操作では、支持台２の取手２５の上端部が積層されたふるい籠１よりも高く立上げられふるい籠１が邪魔になることはない。
【００３２】
この結果、支持台２に取手２５に手で小さな力を加えただけで、支持台２の弾性材２２が伸縮する。支持台２の弾性材２２の伸縮は、慣性でふるい籠１の支持姿勢を頻繁に可変して揺動させることになる。この支持台２の弾性材２２の伸縮の慣性は、支持台２の弾性材２２が１２０度の間隔を介した３本の配置であることによって促進される。また、支持台２の弾性材２２が取付板２３を介して支持台２の支持枠２１，底部材２４に取付けられているため、支持台２の弾性材２２が不測に捻れたり不測の方向へ弾性を発揮するのが防止される。従って、揺動駆動機構を備えなくても、大量のふるい材料Ｓを処理することができる。特に、ふるい籠１，ふるい材料Ｓの重量が支持台２に支えられ、ふるい籠１，ふるい材料Ｓを手で持上げる必要がないため、ふるい材料Ｓの処理が重労働になることはない。この揺動では、支持台２に取手２５が積層されたふるい籠１の横ずれ防止のガイドとしても機能する。
【００３３】
この形態によるふるい材料Ｓの処理では、例えば、最上段のふるい籠１にゴミ等が残留し、次段のふるい籠１に相対的に大塊の土粒が残留し、次々段のふるい籠１に相対的に小塊の土粒が残留し、設置された地面にみじんが落下することになる。
【００３４】
以上、図示した形態の外に、ふるい籠１を２個又は４個以上積層することも可能である。勿論ふるい籠１を１個とすることを妨げないものである。
【００３５】
さらに、支持台２の弾性材２２を４本以上設けることも可能である。また、支持台２の弾性材２２を円筒形以外に円錐形，鼓形のコイルスプリングとすることも可能である。
【産業上の利用可能性】
【００３６】
本考案に係るふるい装置は、調理の分野で紛粒物からなる食品のふるい材料の分級等のように他の広範なふるい材料に使用することが可能である。
【図面の簡単な説明】
【００３７】
【図１】本考案に係るふるい装置を実施するための最良の形態の分解状態の斜視図である。
【図２】図１の組立状態図である。
【図３】図２の拡大中央縦断面図である。
【図４】図３の平面図である。
【図５】図２の使用状態図。
【符号の説明】
【００３８】
１            ふるい籠
１１          枠体
１２          ふるい網
２            支持台
２１          支持枠
２２          弾性材
２３          取付板
２４          底部材
Ｓ            ふるい材料
【図１】
0003114159.tif 000003
【図２】
0003114159.tif 000004
【図３】
0003114159.tif 000005
【図４】
0003114159.tif 000006
【図５】
0003114159.tif 000007